【手続補正書】
【提出日】令和1年12月17日(2019.12.17)
【手続補正１】
【補正対象書類名】明細書
【補正対象項目名】発明の名称
【補正方法】変更
【補正の内容】
【発明の名称】シロキサン類を用いた多孔質セメント系建設用コンポーネント及びその製造方法、並びにセメント系建設用コンポーネントの多孔質化のためのシロキサン類の使用
【手続補正２】
【補正対象書類名】明細書
【補正対象項目名】０００９
【補正方法】変更
【補正の内容】
【０００９】
上記目的は、
バインダーを水及び能動的多孔質化剤と混合する工程と、
混合物を成形し、乾燥する工程と、
を少なくとも含む、多孔質セメント系建設用コンポーネントの製造方法であって、
前記能動的多孔質化剤が、シロキサンであり、前記シロキサンによる能動的多孔質化のみによって、前記セメント系建設用コンポーネントの総重量が少なくとも１０重量％減少することを特徴とする、前記方法、並びに、
こて塗用配合物（ｔｒｏｗｅｌｌｉｎｇ  ｃｏｍｐｏｕｎｄ）、プラスター、仕切り壁板、又は建設用パネル（好ましくは、石膏プラスターボード又は石膏ファイバーボード）である、＜１＞〜＜１１＞のいずれか一項に記載の方法によって製造される多孔質セメント系建設用コンポーネントによって達成される。
【手続補正３】
【補正対象書類名】明細書
【補正対象項目名】００４３
【補正方法】変更
【補正の内容】
【００４３】
図４から、サンプル１の基本組成に基づくが、添加剤の量及び種類が異なる全てのサンプルにおいて、１０００〜１００００ｎｍの細孔サイズの累積を認識することができる。空気連行剤を更に添加すると、より大きい（１００００〜１０００００ｎｍ）細孔サイズの更なる極大値が達成される。
本発明の態様の例を以下に記載する。
＜１＞  バインダーを水及び能動的多孔質化剤と混合する工程と、
混合物を成形し、乾燥する工程と、
を少なくとも含む、多孔質セメント系建設用コンポーネントの製造方法であって、
前記能動的多孔質化剤が、シロキサンであり、前記シロキサンによる能動的多孔質化のみによって、前記セメント系建設用コンポーネントの総重量が少なくとも１０重量％減少することを特徴とする、前記方法。
＜２＞  前記シロキサンが、Ｈ−シロキサン（すなわち、ポリメチルハイドロジェンシロキサン）であることを特徴とする、＜１＞に記載の方法。
＜３＞  前記シロキサンが、前記バインダーの量に対して０．１〜５．０重量％（好ましくは、０．５〜１．０重量％）の量で用いられることを特徴とする、＜１＞又は＜２＞に記載の方法。
＜４＞  前記能動的多孔質化によって、前記建設用コンポーネントの総重量が少なくとも２０重量％（好ましくは、少なくとも３０重量％）減少することを特徴とする、＜１＞〜＜３＞のいずれか一項に記載の方法。
＜５＞  前記バインダーが、セメントを少なくとも１種含有することを特徴とする、＜１＞〜＜４＞のいずれか一項に記載の方法。
＜６＞  硫酸カルシウムベースのセメント又は水硬性セメントが、セメントとして用いられることを特徴とする、＜５＞に記載の方法。
＜７＞  前記建設用コンポーネントの能動的多孔質化に加えて、少なくとも１種の空気連行物質の添加によって受動的多孔質化をすることができることを特徴とする、＜１＞〜＜６＞のいずれか一項に記載の方法。
＜８＞  前記空気連行物質が、界面活性剤であることを特徴とする、＜７＞に記載の方法。
＜９＞  スラリーのｐＨ値が、ｐＨ８よりも大きく（好ましくはｐＨ１０よりも大きく、特にｐＨ１１よりも大きく）設定されることを特徴とする、＜１＞〜＜８＞のいずれか一項に記載の方法。
＜１０＞  前記スラリーのｐＨ値設定が、水酸化カルシウム又はポートランドセメントによって行われることを特徴とする、＜９＞に記載の方法。
＜１１＞  シロキサンがスラリーに添加されること、又は前記建設用コンポーネントのドライ部分にシロキサンがスプレーされることを特徴とする、＜１＞〜＜１０＞のいずれか一項に記載の方法。
＜１２＞  セメント系建設用コンポーネントの多孔質化のためのシロキサンの使用。
＜１３＞  前記シロキサンが、液体Ｈ−シロキサン（すなわち、ポリジメチルシロキサン）であることを特徴とする、＜１２＞に記載の使用。
＜１４＞  こて塗用配合物（ｔｒｏｗｅｌｌｉｎｇ  ｃｏｍｐｏｕｎｄ）、プラスター、仕切り壁板、又は建設用パネル（好ましくは、石膏プラスターボード又は石膏ファイバーボード）である、＜１＞〜＜１１＞のいずれか一項に記載の方法によって製造される多孔質セメント系建設用コンポーネント。
＜１５＞  仕切り壁板又は建設用パネルであることを特徴とし、細孔の４０％（好ましくは細孔の少なくとも６０％）が、１０００〜１００００ｎｍの相対細孔サイズを有する、＜１４＞に記載の建設用コンポーネント。
【手続補正４】
【補正対象書類名】特許請求の範囲
【補正対象項目名】全文
【補正方法】変更
【補正の内容】
【特許請求の範囲】
【請求項１】
バインダーを水及び能動的多孔質化剤と混合する工程と、
混合物を成形し、乾燥する工程と、
を少なくとも含む、多孔質セメント系建設用コンポーネントの製造方法であって、
前記能動的多孔質化剤が、シロキサンであり、前記シロキサンによる能動的多孔質化は単独で前記セメント系建設用コンポーネントの総重量の少なくとも１０重量％の減少を達成することを特徴とする、前記方法。
【請求項２】
前記シロキサンが、Ｈ−シロキサンであることを特徴とする、請求項１に記載の方法。
【請求項３】
前記Ｈ−シロキサンが、ポリメチルハイドロジェンシロキサンであることを特徴とする、請求項２に記載の方法。
【請求項４】
前記シロキサンが、前記バインダーの量に対して０．１〜５．０重量％の量で用いられることを特徴とする、請求項１〜請求項３のいずれか１項に記載の方法。
【請求項５】
前記シロキサンが、前記バインダーの量に対して０．５〜１．０重量％の量で用いられることを特徴とする、請求項４に記載の方法。
【請求項６】
前記能動的多孔質化によって、前記建設用コンポーネントの総重量が少なくとも２０重量％減少することを特徴とする、請求項１〜請求項５のいずれか一項に記載の方法。
【請求項７】
前記能動的多孔質化によって、前記建設用コンポーネントの総重量が少なくとも３０重量％減少することを特徴とする、請求項６に記載の方法。
【請求項８】
前記バインダーが、セメントを少なくとも１種含有することを特徴とする、請求項１〜請求項７のいずれか一項に記載の方法。
【請求項９】
硫酸カルシウムベースのセメント又は水硬性セメントが、セメントとして用いられることを特徴とする、請求項８に記載の方法。
【請求項１０】
前記建設用コンポーネントの能動的多孔質化に加えて、少なくとも１種の空気連行物質の添加によって受動的多孔質化をすることができることを特徴とする、請求項１〜請求項９のいずれか一項に記載の方法。
【請求項１１】
前記空気連行物質が、界面活性剤であることを特徴とする、請求項１０に記載の方法。
【請求項１２】
スラリーのｐＨ値が、ｐＨ８よりも大きく設定されることを特徴とする、請求項１〜請求項１１のいずれか一項に記載の方法。
【請求項１３】
スラリーのｐＨ値が、ｐＨ１０よりも大きく設定されることを特徴とする、請求項１２に記載の方法。
【請求項１４】
スラリーのｐＨ値が、ｐＨ１１よりも大きく設定されることを特徴とする、請求項１３に記載の方法。
【請求項１５】
前記スラリーのｐＨ値設定が、水酸化カルシウム又はポートランドセメントによって行われることを特徴とする、請求項１２〜請求項１４のいずれか一項に記載の方法。
【請求項１６】
シロキサンがスラリーに添加されること、又は前記建設用コンポーネントのドライ部分にシロキサンがスプレーされることを特徴とする、請求項１〜請求項１５のいずれか一項に記載の方法。
【請求項１７】
セメント系建設用コンポーネントの多孔質化のためのシロキサンの使用。
【請求項１８】
前記シロキサンが、液体Ｈ−シロキサンであることを特徴とする、請求項１７に記載の使用。
【請求項１９】
前記液体Ｈ−シロキサンが、ポリメチルハイドロジェンシロキサンであることを特徴とする、請求項１８に記載の使用。
【請求項２０】
こて塗用配合物（ｔｒｏｗｅｌｌｉｎｇ  ｃｏｍｐｏｕｎｄ）、プラスター、仕切り壁板、又は建設用パネルである、請求項１〜請求項１６のいずれか一項に記載の方法によって製造される多孔質セメント系建設用コンポーネント。
【請求項２１】
石膏プラスターボード又は石膏ファイバーボードである、請求項２０に記載の建設用コンポーネント。
【請求項２２】
仕切り壁板又は建設用パネルであることを特徴とし、細孔の４０％が、１０００〜１００００ｎｍの相対細孔サイズを有する、請求項２０又は請求項２１に記載の建設用コンポーネント。
【請求項２３】
仕切り壁板又は建設用パネルであることを特徴とし、細孔の少なくとも６０％が、１０００〜１００００ｎｍの相対細孔サイズを有する、請求項２２に記載の建設用コンポーネント。